(57)【要約】【課題】  筐体周囲の外気温をより正確に設定して、筐体内部の機器を適正に管理し、あるいは制御する外気温測定センサの補正装置、画像形成装置及び外気温測定センサの補正方法を提供する。【解決手段】  実施形態の外気温測定センサの補正装置は、筐体の外気温を測定する第1の測定部と、前記筐体の内部温度を測定する第２の測定部と、前記第1の測定部の第1の温度特性と前記第２の測定部の第２の温度特性とで設定される補正定数を用いて、前記外気温を推定して、前記第１の測定部の第１の測定結果に換えて、前記推定した外気温を、前記筐体の外気温として設定する制御部とを備える。【選択図】図８
2015069048.tif 000002
【特許請求の範囲】
【請求項１】
筐体の外気温を測定する第1の測定部と、
前記筐体の内部温度を測定する第２の測定部と、
前記第1の測定部の第1の温度特性と前記第２の測定部の第２の温度特性とで設定される補正定数を用いて、前記外気温を推定して、前記第１の測定部の第１の測定結果に換えて、前記推定した外気温を、前記筐体の外気温として設定する制御部とを備える外気温測定センサの補正装置。
【請求項２】
画像を形成する画像形成部と、
前記画像形成部を収納する筐体と、
請求項１に記載の外気温の設定装置と、を備えることを特徴とする画像形成装置。
【請求項３】
前記画像形成部がスリープモードの場合、あるいは前記画像形成部が電源オフの場合に前記筐体の内部を保温する加熱部を更に備え、
前記制御部は、前記画像形成部が前記スリープモードから電力を復帰する時、あるいは前記電源オフから電力を復帰する時に、前記第１の測定部の第１の測定結果に換えて、前記推定した初期推定温度を、前記筐体の外気温として設定することを特徴とする請求項２に記載の画像形成装置。
【請求項４】
前記制御部は、前記画像形成部が前記スリープモードから電力を復帰した後、あるいは前記電源オフから電力を復帰した後に、継続して、前記第１の測定部の第１の測定結果に換えて、前記初期推定温度を前記筐体の外気温として設定することを特徴とする請求項３に記載の画像形成装置。
【請求項５】
前記制御部は、前記初期推定温度に応じて前記画像形成部を制御することを特徴とする請求項３又は請求項４に記載の画像形成装置。
【請求項６】
筐体の外気温を測定する第1の測定部の第1の温度特性と、前記筐体の内部温度を測定する第２の測定部の第２の温度特性とから補正定数を求める工程と、
前記補正定数を用いて、前記外気温を推定する工程と、
前記第１の測定部の測定結果に換えて、前記推定した推定外気温を、前記筐体の外気温として設定する工程と、を備える外気温測定センサの補正方法。
【発明の詳細な説明】
【技術分野】
【０００１】
実施形態は、筐体内部の機器を管理し、或いは制御する等のために用いる外気温を測定するセンサの測定温度を補正する、外気温測定センサの補正装置、画像形成装置及び外気温測定センサの補正方法に関する。
【背景技術】
【０００２】
画像形成装置等では、ヒータを備え、筐体内部の機器の結露防止等を図る装置がある。他方、筐体周囲の外気温に応じて機器を適性に制御する装置では、外気温を測定するセンサがヒータからの熱の影響を受けた場合に、外気温を誤検知する恐れがある。外気温を誤検知すると、機器を適正に制御できず、制御不良を生じる恐れがある。
【先行技術文献】
【特許文献】
【０００３】
【特許文献１】特開２００２−１７５０００号公報
【発明の概要】
【発明が解決しようとする課題】
【０００４】
この発明が解決しようとする課題は、筐体の外気温をより正確に設定して、筐体内部の機器を適正に管理し、あるいは制御する外気温測定センサの補正装置、画像形成装置及び外気温測定センサの補正方法を提供することである。
【課題を解決するための手段】
【０００５】
上記課題を達成するために、実施形態の外気温測定センサの補正装置は、筐体の外気温を測定する第1の測定部と、前記筐体の内部温度を測定する第２の測定部と、前記第1の測定部の第1の温度特性と前記第２の測定部の第２の温度特性とで設定される補正定数を用いて、前記外気温を推定して、前記第１の測定部の第１の測定結果に換えて、前記推定した外気温を、前記筐体の外気温として設定する制御部とを備える。
【図面の簡単な説明】
【０００６】
【図１】第１の実施形態のＭＦＰを示す概略構成図。
【図２】第１の実施形態のＭＦＰの制御に用いる外気温の設定を主体とする制御系を示す概略ブロック図。
【図３】第１の実施形態のＭＦＰの外気温センサ及び機器温度センサの温度特性を示すグラフ。
【図４】第１の実施形態の（実施例１）のＭＦＰを２時間スリープ状態にした場合の、外気温センサの測定値と推定外気温を示す（表１）。
【図５】第１の実施形態の（実施例１）のＭＦＰを２時間スリープ状態にした場合の、外気温センサの測定値と推定外気温を示すグラフ。
【図６】第１の実施形態の（実施例１）のＭＦＰを６時間スリープ状態にした場合の、外気温センサの測定値と推定外気温を示す（表２）。
【図７】第１の実施形態の（実施例１）のＭＦＰを６時間スリープ状態にした場合の、外気温センサの測定値と推定外気温を示すグラフ。
【図８】第１の実施形態のＭＦＰが電力を復帰した時の外気温センサのセンサ温度の補正を示す概略フローチャート。
【図９】第２の実施形態のＭＦＰが電力を復帰した後の外気温センサのセンサ温度の推移の一例を示すグラフ。
【図１０】第２の実施形態のＭＦＰが電力を復帰した後の外気温センサのセンサ温度及び機器温度センサのセンサ温度の推移の一例を示すグラフ。
【図１１】第２の実施形態のＭＦＰが電力を復帰した後の（条件１）に基づく外気温センサのセンサ温度の補正を示す概略フローチャート。
【図１２】第２の実施形態のＭＦＰが電力を復帰した後の（条件２）に基づく外気温センサのセンサ温度の補正を示す概略フローチャート。
【発明を実施するための形態】
【０００７】
以下実施形態について説明する。
【０００８】
（第１の実施形態）
第１の実施形態の画像形成装置について図１乃至図８を参照して説明する。図１は、第１の実施形態の画像形成装置の一例であるカラーのＭＦＰ（Multi-Function Peripherals）１０を示す。ＭＦＰ１０は、筐体１０ａ内部に画像形成部であるプリンタ部１１及びスキャナ部１２を備える。
【０００９】
プリンタ部１１は、矢印ｍ方向に回転する中間転写ベルト１８の下側に沿って並列に配置される、Ｙ（イエロ）、Ｍ（マゼンタ）、Ｃ（シアン）、Ｋ（ブラック）の４組の画像形成ステーション２０Ｙ、２０Ｍ、２０Ｃ及び２０Ｋを備える。プリンタ部１１は、各画像形成ステーション２０Ｙ、２０Ｍ、２０Ｃ及び２０Ｋの上方に、補給カートリッジ２１Ｙ、２１Ｍ、２１Ｃ及び２１Ｋを備える。
【００１０】
４組の画像形成ステーション２０Ｙ、２０Ｍ、２０Ｃ及び２０Ｋは、それぞれ、感光体ドラム２２の周囲に、帯電チャージャ２３、露光走査ヘッド２４、現像装置２６、及び感光体クリーナ２７を備える。現像装置２６は、各画像形成ステーション２０Ｙ、２０Ｍ、２０Ｃ及び２０Ｋ毎に、夫々Ｙ（イエロ）、Ｍ（マゼンタ）、Ｃ（シアン）或いはＫ（ブラック）のトナーと、キャリアとからなる二成分の現像剤を備える。トナーは、例えば非消色のトナー或いは消色トナーを用いる。
【００１１】
消色トナーは、例えば所定の消色温度以上に加熱することにより消色可能なトナーである。消色トナーは、例えば色材として、呈色性化合物、顕色剤及び消色剤を備える。消色トナーを用いて形成したトナー画像を所定の消色温度以上に加熱すると、消色トナー中の呈色性化合物と顕色剤とが解離してトナー画像を消色する。
【００１２】
バックアップローラ１８ａ、従動ローラ１８ｂ及びテンションローラ１９は、中間転写ベルト１８を支持する。プリンタ部１１は、中間転写ベルト１８を介して、各画像形成ステーション２０Ｙ、２０Ｍ、２０Ｃ及び２０Ｋの感光体ドラム２２と対向する位置にそれぞれ１次転写ローラ２８を備える。プリンタ部１１は、中間転写ベルト１８を介してバックアップローラ１８ａと対向する位置に２次転写ローラ３０を備える。
【００１３】
プリンタ部１１は、画像形成ステーション２０Ｙ、２０Ｍ、２０Ｃ及び２０Ｋの下方に、加熱部である第１ヒータ４１及び第２ヒータ４２を備える。プリンタ部１１は、給紙カセット部１６を備える。給紙カセット部１６は、シートＰを収納する給紙カセット１６ａ及び給紙カセット１６ａからシートＰを取り出すピックアップローラ１６ｂを備える。給紙カセット１６ａは、未使用のシート或いはリユースのシート（例えば画像を消色処理により消色したシート）等を給紙可能である。プリンタ部１１は、手差し給紙トレイ１７及びピックアップローラ１７ａを備える。
【００１４】
プリンタ部１１は、搬送路３１に沿って、レジストローラ３１ａを備える、プリンタ部１１は、２次転写ローラ３０の下流に定着装置３２、排紙ローラ対３３を備える。ＭＦＰ１０は、例えば筐体１０ａ内部の定着装置３２側に、外気を吸引して筐体１０ａ内部に風を送るファン３４を備える。プリンタ部１１は、ファン３４の近くに筐体１０ａの外気温を測定する第１の測定部である外気温センサ４３を備える。プリンタ部１１は、例えばＫ（ブラック）の画像形成ステーション２０Ｋの近くに筐体１０ａの内部の温度を測定する第２の測定部である機器温度センサ４４を備える。
【００１５】
ＭＦＰ１０は、スキャナ部１２等からの画像データに従い、プリンタ部１１でシートＰにトナー像を形成し、排紙部１０ａに排紙する。画像形成装置はＭＦＰ１０に限らない。画像形成装置は、モノクロの画像形成装置であっても良く、画像形成ステーションの数も限定されない。画像形成装置は、感光体から直接シートにトナー像を転写しても良い。また画像形成装置は複数のプリンタ部を備えていても良い。
【００１６】
図２を参照してＭＦＰ１０の制御に用いる外気温の設定を主体とする、制御系５０について説明する。制御系５０は、システムバス５１を介して互いに接続されるＣＰＵ５２、ＲＯＭ５３、ＲＡＭ５４、定着装置３２、ファン３４、第１ヒータ４１、第２ヒータ４２、外気温センサ４３、機器温度センサ４４、コントロールパネル４５等を備える。
【００１７】
制御部であるＣＰＵ５２は、ＲＯＭ５３に格納された制御プログラムに基づいてＭＦＰ１０全体を制御する。ＲＡＭ５４は、ＣＰＵ５２が各種の処理を行う上で必要となる各種の情報を格納する。ＲＡＭ５４は例えば推定外気温の設定に用いる温度補正テーブル５４ａ等を保存する。
【００１８】
定着装置３２は、２次転写ローラ３０によりトナー画像を形成されたシートＰを加熱加圧して、シートＰにトナー画像を定着する。定着装置３２の例えば通紙時の温度設定は、外気温の変化に伴い変動する。定着装置３２は、外気温が高い場合に比べて、外気温が低い場合に定着時にシートＰに奪われる熱量が多い。外気温が低い場合には、シートＰに奪われる熱量を補うために、定着装置３２の通紙時の温度設定を高くして、温度不足を原因とする定着不良を回避する。
【００１９】
ファン３４は、例えばＭＦＰ１０の電源をオンすると、ウォーミングアップ中及び通紙中に駆動して、筐体１０ａ内部に外気を吸引する。ファン３４は、ＭＦＰ１０がスリープモードの場合あるいはＭＦＰ１０が電源オフの場合、さらには電源がオンであってもレディ中は駆動を停止する。
【００２０】
第１ヒータ４１及び第２ヒータ４２は、画像形成ステーション２０Ｙ、２０Ｍ、２０Ｃ及び２０Ｋの近傍を暖めて、例えば感光体ドラム２２の結露防止等を図る。第１ヒータ４１及び第２ヒータ４２は、ＭＦＰ１０がスリープモードの場合あるいはＭＦＰ１０の電源がオフの場合に駆動する。第１ヒータ４１及び第２ヒータ４２は、ＭＦＰ１０がスリープモードから電力を復帰した場合あるいはＭＦＰ１０が電源オフから電源オンに切り換わり電力を復帰した場合は駆動を停止する。
【００２１】
ＣＰＵ５２は、第１の測定結果である外気温センサ４３の測定結果に応じて、定着装置３２の温度設定を制御する。ＣＰＵ５２は、例えば外気温が低い場合には定着装置３２の温度設定を高くし、外気温が高い場合には定着装置３２の温度設定を低くする。
【００２２】
ＭＦＰ１０は、スリープモードあるいは電源オフの状態では、ファン３４の駆動を停止し、第１ヒータ４１及び第２ヒータ４２を駆動することから、筐体１０ａ内部の温度が上昇する。他方、筐体１０ａ内に在る外気温センサ４３は、筐体１０ａ内部の温度変化の影響を受け易い。外気温センサ４３が筐体１０ａ内部の温度上昇の影響を受けた場合、外気温センサ４３の測定結果は、実際の外気温と誤差を生じて、実際の外気温よりも高くなる。
【００２３】
外気温センサ４３が測定した実際の外気温よりも高い測定結果を用いて、定着装置３２の温度設定を制御すると、定着装置３２は、実際に必要とする温度設定よりも低く温度設定される。このため定着装置３２は、定着不足あるいは剥離不良等の定着不良を引き起こす可能性がある。外気温センサ４３の測定結果の誤差による影響は、定着装置３２のマージンが小さいほど大きくなる。
【００２４】
このためＣＰＵ５２は、外気温センサ４３の測定結果と実際の外気温との差が大きくなる、ＭＦＰ１０がスリープモードから電力を復帰した時あるいはＭＦＰ１０が電源オンになり電力を復帰した時に、補正定数Ｃ１を用いて外気温を推定する。ＣＰＵ５２は、推定した外気温を用いて外気温センサ４３の測定結果を補正する。ＣＰＵ５２は、外気温センサ４３の測定結果に換えて、推定した外気温に応じて、定着装置３２の温度設定を制御する。
【００２５】
補正定数Ｃ１を用いる外気温の推定について詳述する。補正定数Ｃ１は、第１の温度特性である外気温センサ４３の放置特性と、第２の温度特性である機器温度センサ４４の放置特性とを用いて求める。
【００２６】
補正定数Ｃ１は、例えば以下の試験を実施して取得する。試験は、ＭＦＰ１０と同様に、Ｋ（ブラック）の画像形成ステーションの近くに機器温度センサ４４を備える試験用ＭＦＰを用いて行う。試験は、試験用ＭＦＰをスリープモードあるいは電源オフにした状態（ファン３４は駆動停止状態、第１ヒータ４１及び第２ヒータ４２は駆動状態）で、外気温Ｔ０を、例えば５℃から３５℃になるまで５℃ずつ変えて行う。試験用ＭＦＰを５℃から３５℃までの外気温下において、外気温毎に１２時間放置して、外気温センサ４３のセンサ温度の推移と、機器温度センサ４４のセンサ温度の推移をプロットする。
【００２７】
試験結果から、いずれの外気温下においても、外気温センサ４３と機器温度センサ４４は、図３に示す温度特性を得られる。図３の破線αは、外気温センサ４３のセンサ温度Ｔｔの推移を示し、実線βは、機器温度センサ４４のセンサ温度Ｔｔｈの推移を示す。
【００２８】
試験用ＭＦＰをスリープモードあるいは電源オフにした状態で外気温毎に１２時間放置すると、センサ温度Ｔｔ及びセンサ温度Ｔｔｈは、ほぼ飽和状態となる。試験用ＭＦＰを１２時間放置した後の、第１の温度特性である外気温センサ４３の上昇温度（Ｔｔ−Ｔ０）と、第２の温度特性である機器温度センサ４４の上昇温度（Ｔｔｈ−Ｔ０）は、常に（式１）の関係が成立する。
【００２９】
（Ｔｔ−Ｔ０）：（Ｔｔｈ−Ｔ０）＝Ｃ：１    ・・・（式１）
試験結果から得られるＣは、外気温Ｔ０により多少ばらつきがあることから、平均値を取って、補正定数Ｃ１とする。補正定数Ｃ１は外気温センサ４３と機器温度センサ４４との位置関係に依存する定数である。機器温度センサ４４を、Ｋ（ブラック）の画像形成ステーションの近くではなく、他の位置に配置した場合は、上記試験と同様に試験を行って、補正定数Ｃ１を取得することとなる。
【００３０】
試験により得られた（式１）を基に、外気温Ｔ０を推定する（式２）が成立する。
【００３１】
Ｔ０＝（Ｃ１×Ｔｔｈ−Ｔｔ）／（Ｃ１−１）    ・・・（式２）
（式２）を用いることにより、外気温センサ４３の測定結果であるセンサ温度Ｔｔと機器温度センサ４４の測定結果であるセンサ温度Ｔｔｈがわかれば、外気温Ｔ０を推定できる。
【００３２】
（実施例１）
（実施例１）として、第１の実施形態のＭＦＰ１０をスリープ状態にして、第１ヒータ４１と第２ヒータ４２によって筐体１０ａ内部を温めた場合の外気温Ｔ０を、（式２）から計算する。外気温を７℃、１１℃、１６℃、２１℃に保持して、２時間放置した場合の、計算結果を図４の（表１）に示す。推定定数Ｃ１として０．２５６２５を使用して（式２）から外気温Ｔ０を計算して推定外気温とする。
【００３３】
外気温が７℃の場合には、機器温度センサ４４のセンサ温度Ｔｔｈは、３２．２℃、外気温センサ４３のセンサ温度Ｔｔは１４℃であり、（式２）から得た推定外気温は、７．７℃となる。センサ温度Ｔｔと外気温との差は７℃であり、推定外気温と外気温との差は０．７℃である。
【００３４】
外気温が１１℃の場合には、センサ温度Ｔｔｈは、３２．５℃、センサ温度Ｔｔは１６．１℃であり、推定外気温は、１０．４℃となる。センサ温度Ｔｔと外気温との差は５．１℃であり、推定外気温と外気温との差は０．６℃である。
【００３５】
外気温が１６℃の場合には、センサ温度Ｔｔｈは、３７．３℃、センサ温度Ｔｔは２０．４℃であり、推定外気温は、１４．６℃となる。センサ温度Ｔｔと外気温との差は４．４℃であり、推定外気温と外気温との差は１．４℃である。
【００３６】
外気温が２１℃の場合には、センサ温度Ｔｔｈは、４０．５℃、センサ温度Ｔｔは２４．８℃であり、推定外気温は、１９．４℃となる。センサ温度Ｔｔと外気温との差は３．８℃であり、推定外気温と外気温との差は１．６℃である。
【００３７】
図４の（表１）をプロットしたグラフを図５に示す。◇は外気温センサ４３、□は機器温度センサ４４、△は推定外気温、×は補正定数を示す。
【００３８】
同様に同じ外気温を保持して、６時間放置した場合の、（式２）の計算結果を図６の（表２）に示し、図６の（表２）をプロットしたグラフを図７に示す。推定定数Ｃ１として０．２５６２５を使用して推定外気温を計算した。
【００３９】
外気温が７℃の場合には、センサ温度Ｔｔｈは、３１．４℃、センサ温度Ｔｔは１３．９℃であり、（式２）による推定外気温は、７．９℃となる。センサ温度Ｔｔと外気温との差は６．９℃であり、推定外気温と外気温との差は０．９℃である。
【００４０】
外気温が１１℃の場合には、センサ温度Ｔｔｈは、３４．２℃、センサ温度Ｔｔは１７．５℃であり、推定外気温は、１１．７℃となる。センサ温度Ｔｔと外気温との差は６．５℃であり、推定外気温と外気温との差は０．７℃である。
【００４１】
外気温が１６℃の場合には、センサ温度Ｔｔｈは、３８．８℃、センサ温度Ｔｔは２２℃であり、推定外気温は、１６．２℃となる。センサ温度Ｔｔと外気温との差は６℃であるのに対して、推定外気温と外気温との差は０．２℃である。
【００４２】
外気温が２１℃の場合には、センサ温度Ｔｔｈは、４３．２℃、センサ温度Ｔｔは２６．８℃であり、推定外気温は、２１．１℃となる。センサ温度Ｔｔと外気温との差は５．８℃であり、推定外気温と外気温との差は０．１℃である。
【００４３】
外気温センサ４３の測定結果と実際の外気温の差は＋７℃〜＋３．８℃となる。これに対して、（式２）を用いて計算した推定外気温と実際の外気温の差は＋０．７〜＋１．６℃と大きく減少する。外気温センサ４３の測定結果をそのまま定着装置３２の温度設定の制御に使用するよりも、（式２）を用いて計算した推定外気温を使用する方が、定着装置３２の温度設定の制御精度を高められる。
【００４４】
センサ温度Ｔｔ、センサ温度Ｔｔｈ、及び（式２）を用いて計算した推定外気温との関係の温度補正テーブル５４ａを、制御系５０のＲＡＭ５４に保存する。
【００４５】
次にＭＦＰ１０がスリープモードから電力を復帰した時あるいはＭＦＰ１０が電源オンになり電力を復帰した時の、定着装置３２の温度設定の制御に用いるセンサ温度Ｔｔの補正の一例について、図８のフローチャートを参照して説明する。
【００４６】
スタート時の、ＭＦＰ１０がスリープモードあるいは電源オフである間、第１ヒータ４１及び第２ヒータ４２はオンし、ファン３４はオフしている。コントロールパネル４５上の電源ボタン４５ｂをオンし（ＡＣＴ１００でＹｅｓ）、あるいはコピーボタン４５ａをオンし、あるいはスリープモード中にネットワーク上で繋がっているＰＣからプリント指示があった場合、あるいはＦＡＸを受信した（ＡＣＴ１０１でＹｅｓ）場合に、ＭＦＰ１０のウォーミングアップを開始する（ＡＣＴ１０２）。ＡＣＴ１０２でＣＰＵ５２は、第１ヒータ４１及び第２ヒータ４２をオフし、ファン３４をオンする。
【００４７】
ＡＣＴ１０３でＣＰＵ５２は、センサ温度Ｔｔ及びセンサ温度Ｔｔｈを取得する。ＡＣＴ１０４でＣＰＵ５２は、センサ温度Ｔｔ及びセンサ温度Ｔｔｈを参照して、温度補正テーブル５４ａから推定外気温を初期推定温度として取得する。ＡＣＴ１０６でＣＰＵ５２は、外気温センサ４３のセンサ温度Ｔｔに換えて、初期推定温度を筐体１０ａの外気温として設定して、センサ温度Ｔｔの補正を終了する。
【００４８】
この後ＣＰＵ５２は、ＡＣＴ１０６で設定した外気温である初期推定温度に応じて、定着装置３２の温度設定を制御する。定着装置３２の温度設定は通紙時の温度設定に限らず、ウォーミングアップ時或いはレディ時の温度設定であっても良い。
【００４９】
第１の実施形態によれば、ＭＦＰ１０がスリープモードから電力を復帰した時あるいはＭＦＰ１０が電源オンになり電力を復帰した時に、ＣＰＵ５２は、外気温センサ４３のセンサ温度Ｔｔに換えて、初期推定温度を筐体１０ａの外気温として設定してセンサ温度Ｔｔを補正する。ＣＰＵ５２は、第１ヒータ４１及び第２ヒータ４２の影響を受ける外気温センサ４３のセンサ温度Ｔｔよりも、実際の外気温との差が小さい初期推定温度に応じて、定着装置３２の温度設定を制御する。より実際の外気温に近い初期推定温度を用いて定着装置３２を制御することにより、定着装置３２の温度設定の制御精度を向上できる。定着装置３２の温度設定の制御精度を向上して、温度不足或いは過剰温度を原因とする定着不良を防止できる。
【００５０】
（第２の実施形態）
第２の実施形態について図９乃至図１２を参照して説明する。第２の実施形態は、第１の実施形態と同様に、ＭＦＰ１０の電力復帰時に、外気温センサ４３のセンサ温度Ｔｔに換えて初期推定温度を用いて定着装置３２を制御する。更に第２の実施形態は、ＭＦＰ１０の電力復帰後も、継続して初期推定温度を用いて外気温センサ４３の測定結果を補正する。ＭＦＰ１０の電力復帰後も、継続して初期推定温度に応じて定着装置３２の温度設定を制御するものである。第２の実施形態にあって、前述の第１の実施形態で説明した構成と同一構成については同一符号を付して詳細な説明を省略する。
【００５１】
ＭＦＰ１０の電力を復帰すると、ＣＰＵ５２は、第１ヒータ４１及び第２ヒータ４２をオンからオフに切り換え、ファン３４を駆動する。更に定着装置３２のウォーミングアップ或いはプリント開始等により、外気温センサ４３付近にファン３４による強制対流が生じた場合、（式１）の関係が成り立たなくなる。
【００５２】
例えば、ＭＦＰ１０をスリープモードから電力を復帰した直後に、５分間プリントを行った（ファン３４は駆動）後、ＭＦＰ１０をレディモード（ファン３４は駆動停止）で放置した場合には、外気温センサ４３のセンサ温度Ｔｔは、図９の破線α１に示す推移となる。図９に示すように、ＭＦＰ１０の電力復帰後は、ファン３４の駆動による筐体１０ａ内部の温度の急激な低下により、センサ温度Ｔｔも急激に低下する。この後、センサ温度Ｔｔは定着装置３２の影響を受けながら、徐々に実際の外気温に近づく。
【００５３】
このため、ＭＦＰ１０の電力復帰後に、温度補正テーブル５４ａを用いて外気温を推定した場合に、推定外気温が図９の点線γに示すように変動して、一点鎖線δで示す実際の外気温との差が大きくなる場合がある。従って、ＭＦＰ１０の電力復帰後から暫くの間は、図９の点線γに示す（式２）から計算した推定外気温ではなく、ＭＦＰ１０の電力復帰時に推定した初期推定温度を用いて外気温センサ４３の測定結果を補正する。ＭＦＰ１０の電力復帰後から暫くの間、初期推定温度を筐体１０ａの外気温として設定する制御を継続する。これにより、推定外気温と実際の外気温との差により、定着装置３２の温度設定の精度が低下するのを防ぐ。
【００５４】
（実施例２）
（実施例２）として第２の実施形態のＭＦＰ１０が電力を復帰した後に、外気温センサ４３の測定結果の補正のために、初期推定温度を継続する条件について述べる。初期推定温度を継続する条件を例えば以下の試験を実施して取得する。試験は、例えば電力復帰持の実際の外気温及び、前述の（実施例１）で求めた初期推定温度を１２．５℃として、第１の実施形態で用いたのと同様の試験用ＭＦＰを用いて行う。電力復帰後に試験用ＭＦＰのウォーミングアップを開始して、外気温センサ４３のセンサ温度Ｔｔと、機器温度センサ４４のセンサ温度Ｔｔｈの推移をプロットする。
【００５５】
試験結果を図１０に示す。１２．５℃の外気温における、外気温センサ４３のセンサ温度Ｔｔの温度特性を破線α２で示し、機器温度センサ４４のセンサ温度Ｔｔｈの温度特性を実線β２で示す。図１０の点線γ２は初期推定温度を示し、一点鎖線δ２は実際の外気温を示す。試験用ＭＦＰは電力復帰時には、センサ温度Ｔｔと初期推定温度とで、＋７℃のずれを生じる。電力復帰後、試験用ＭＦＰは、第１ヒータ４１及び第２ヒータ４２がオフし、ファン３４がオンすることから、外気温センサ４３のセンサ温度Ｔｔは、時間の経過とともに徐々に実際の外気温に近付いていく。（但し試験用ＭＦＰは、ウォーミングアップ開始により定着装置３２が発熱を開始することから、時間が経過しても、外気温センサ４３のセンサ温度Ｔｔは、完全には実際の外気温と同じにはならない。）
図１０に示す試験結果から、ＭＦＰ１０がセンサ温度Ｔｔの補正のために初期推定温度を継続する（条件１）として、「外気温センサ４３のセンサ温度Ｔｔと初期推定温度との温度差」を指定する。ＭＦＰ１０の電力復帰後、時間の経過に伴い外気温センサ４３のセンサ温度Ｔｔが徐々に実際の外気温に近付いて、例えば、「センサ温度Ｔｔと初期推定温度との温度差が２℃に達するまで」を、初期推定温度を継続する（条件１）とする。
【００５６】
（条件１）を採用して、ＣＰＵ５２は、センサ温度Ｔｔと初期推定温度との温度差が２℃に達するまで、外気温センサ４３のセンサ温度Ｔｔに換えて、初期推定温度を筐体１０ａの外気温として設定してセンサ温度Ｔｔの補正を継続する。図１０に示す試験結果では、ＭＦＰ１０の電力復帰後、外気温センサ４３のセンサ温度Ｔｔと初期推定温度との温度差が２℃に達するまでに１４分を要する。
【００５７】
第２の実施形態において、ウォーミングアップ開始によりＭＦＰ１０の外気温センサ４３は定着装置３２の影響を受ける。外気温センサ４３のセンサ温度Ｔｔは、時間が経過しても、完全には実際の外気温と同じにはならない。時間が経過した後の、外気温センサ４３のセンサ温度Ｔｔと実際の外気温との温度差は、各種ＭＦＰの構造によって異なる。例えば定着装置３２と外気温センサ４３との距離が離れているＭＦＰあるいは、定着装置３２と外気温センサ４３とを確実に断熱したＭＦＰ等であれば、時間の経過に従い、外気温センサ４３のセンサ温度Ｔｔは、実際の外気温とほぼ同じとなる。
【００５８】
ＭＦＰ１０が電源復帰後にセンサ温度Ｔｔの補正値として初期推定温度を継続する条件は（条件１）に限らない。図１０に示す試験結果から、ＭＦＰ１０が初期推定温度を継続する（条件２）として、「外気温センサ４３のセンサ温度Ｔｔと機器温度センサ４４のセンサ温度Ｔｔｈとの温度差」を指定しても良い。
【００５９】
ＭＦＰ１０において、第１ヒータ４１及び第２ヒータ４２による、外気温センサ４３あるいは機器温度センサ４４の温度上昇は、外気温センサ４３あるいは機器温度センサ４４の設置場所によって異なる。第１ヒータ４１及び第２ヒータ４２の熱の影響を受けやすい場所にある機器温度センサ４４は、ＭＦＰ１０の電力復帰時における温度上昇値が大きい。機器温度センサ４４と比較して、第１ヒータ４１及び第２ヒータ４２の熱の影響の小さい場所にある外気温センサ４３は、ＭＦＰ１０の電力復帰時における温度上昇値が小さい。
【００６０】
ＭＦＰ１０の電力を復帰するとＣＰＵ５２は、第１ヒータ４１及び第２ヒータ４２をオンからオフに切り換え、ファン３４を駆動する。従って、ＭＦＰ１０の電力復帰後、外気温センサ４３のセンサ温度Ｔｔと機器温度センサ４４のセンサ温度Ｔｔｈとの温度差は、時間の経過と共に小さくなっていく。
【００６１】
図１０に示す試験結果から、ＭＦＰ１０の電力復帰後、時間の経過に伴い、センサ温度Ｔｔとセンサ温度Ｔｔｈとの温度差小さくなり、例えば、「センサ温度Ｔｔとセンサ温度Ｔｔｈとの温度差が１６℃に低下するまで」を、初期推定温度を継続する（条件２）とする。
【００６２】
（条件２）を採用して、ＣＰＵ５２は、センサ温度Ｔｔとセンサ温度Ｔｔｈとの温度差が１６℃に低減するまで、外気温センサ４３のセンサ温度Ｔｔに換えて、初期推定温度を、筐体１０ａの外気温として設定してセンサ温度Ｔｔの補正を継続する。図１０に示す試験結果では、ＭＦＰ１０の電力復帰後、センサ温度Ｔｔとセンサ温度Ｔｔｈとの温度差が１６℃に低下するまでに１４分を要する。
【００６３】
外気温センサ４３のセンサ温度Ｔｔが（条件１）あるいは（条件２）を満たした後は、ＣＰＵ５２は、外気温センサ４３のセンサ温度Ｔｔを用いて、定着装置３２の温度設定を制御する。外気温センサ４３のセンサ温度Ｔｔが（条件１）あるいは（条件２）を満たすか否かは、例えばＣＰＵ５２の演算部５２ａで算出する。
【００６４】
ＭＦＰ１０が電源復帰後に初期推定温度を継続する条件は（条件１）あるいは（条件２）に限らない。外気温センサ４３のセンサ温度Ｔｔが実際の外気温に近付く時間を推定して、センサ温度Ｔｔに換えて、初期推定温度を、定着装置３２を温度設定するための制御温度として継続する（条件）としても良い。
【００６５】
ＭＦＰ１０の（条件１）に基づく電源復帰後の定着装置３２の温度設定の制御に用いるセンサ温度Ｔｔの補正について、図１１のフローチャートを参照して説明する。
【００６６】
第１の実施形態の図８のＡＣＴ１００〜ＡＣＴ１０４、ＡＣＴ１０６を実施した後、ＣＰＵ５２は、センサ温度Ｔｔの補正値として初期推定温度を筐体１０ａの外気温として用いる操作を継続する（ＡＣＴ１０７）。（センサ温度Ｔｔ−初期推定温度）≦２℃となれば（ＡＣＴ１０８でＹｅｓ）、ＣＰＵ５２は、センサ温度Ｔｔの補正値として初期推定温度を継続する操作を終了する。初期推定温度を継続する間、ＣＰＵ５２は、センサ温度Ｔｔを補正した初期推定温度を筐体１０ａの外気温として、定着装置３２の温度設定を制御する。初期推定温度を継続する操作を終了した後は、ＣＰＵ５２は、外気温センサ４３が測定したセンサ温度Ｔｔを筐体１０ａの外気温として、定着装置３２の温度設定を制御する。
【００６７】
ＭＦＰ１０の、（条件２）に基づく電源復帰後の定着装置３２の温度設定の制御に用いるセンサ温度Ｔｔの補正について、図１２のフローチャートを参照して説明する。（条件１）と同様、ＣＰＵ５２は、第１の実施形態の図８のＡＣＴ１００〜ＡＣＴ１０４、ＡＣＴ１０６を実施し、センサ温度Ｔｔの補正値として初期推定温度を筐体１０ａの外気温として用いる操作を継続する（ＡＣＴ１１７）。（センサ温度Ｔｔｈ−センサ温度Ｔｔ）≦１６℃となれば（ＡＣＴ１１８でＹｅｓ）、ＣＰＵ５２は、センサ温度Ｔｔの補正値として初期推定温度を継続する操作を終了する。初期推定温度を継続する間、ＣＰＵ５２は、センサ温度Ｔｔを補正した初期推定温度を筐体１０ａの外気温として、定着装置３２の温度設定を制御する。初期推定温度を継続する操作を終了した後は、ＣＰＵ５２は、外気温センサ４３が測定したセンサ温度Ｔｔを筐体１０ａの外気温として、定着装置３２の温度設定を制御する。
【００６８】
第２の実施形態は、第１の実施形態と同様に、ＭＦＰ１０の電力復帰時に、ＣＰＵ５２は、外気温センサ４３のセンサ温度Ｔｔに換えて、初期推定温度を筐体１０ａの外気温として設定してセンサ温度Ｔｔを補正する。ＭＦＰ１０の電力復帰時に、初期推定温度に応じて定着装置３２の温度設定を制御することにより、定着装置３２の温度設定の制御精度を向上できる。定着装置３２の温度設定の制御精度を向上して、温度不足或いは過剰温度を原因とする定着不良を防止できる。
【００６９】
第２の実施形態によれば、ＭＦＰ１０が電力を復帰した後に、ＣＰＵ５２は、外気温センサ４３のセンサ温度Ｔｔに換えて、初期推定温度を筐体１０ａの外気温としてセンサ温度Ｔｔを補正する操作を継続する。外気温センサ４３のセンサ温度Ｔｔが（条件１）あるいは（条件２）を満たした場合には、ＣＰＵ５２は、センサ温度Ｔｔの補正値として初期推定温度を継続する操作を終了する。
【００７０】
第２の実施形態によれば、電力復帰直後に外気温センサ４３のセンサ温度Ｔｔの変動が（式１）の関係に沿わない場合でも、ＣＰＵ５２は、実際の外気温に近い初期推定温度を使用してセンサ温度Ｔｔを補正する。ＣＰＵ５２は、ＭＦＰ１０が電力を復帰した後に、より外気温に近い初期推定温度を用いて定着装置３２を制御し、定着装置３２の温度設定の精度が低下するのを防ぐ。ＭＦＰ１０が電力を復帰した後に、初期推定温度を筐体１０ａの外気温として設定してセンサ温度Ｔｔの補正を継続して、定着装置３２の温度設定の制御精度を向上して、温度不足或いは過剰温度を原因とする定着不良を防止できる。
【００７１】
以上説明した少なくとも１つの実施形態によれば、画像形成装置が電力を復帰した時に、外気温センサのセンサ温度に換えて、筐体の外気温を推定した推定外気温を外気温として外気温センサのセンサ温度を補正する。外気温センサのセンサ温度よりも実際の外気温との差が小さい推定外気温に応じて定着装置を制御することにより、定着装置の温度設定の制御精度を向上して、温度不足或いは過剰温度を原因とする定着不良を防止できる。
【００７２】
この発明は上記実施形態に限定されるものではなく、種々の変形が可能である。筐体は、画像形成部を収納するものではなく、記録媒体上の画像を消色する消色部を収納するものであっても良い。更に筐体は、画像を形成する画像形成部と画像を消色する消色部を兼用するユニットを収納するものであっても良い。
【００７３】
この発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことが出来る。これら実施形態やその変形は、発明の範囲や要旨に含まれるとともに、特許請求の範囲に記載された発明とその均等の範囲に含まれる。
【符号の説明】
【００７４】
１０…ＭＦＰ
１０ａ…筐体
２２…感光体ドラム
３２…定着装置
３４…ファン
４１…第１ヒータ
４２…第２ヒータ
４３…外気温センサ
４４…機器温度センサ
５０…制御系
５２…ＣＰＵ
５４…ＲＡＭ
５４ａ…温度補正テーブル
【図１】
2015069048.tif 000003
【図２】
2015069048.tif 000004
【図３】
2015069048.tif 000005
【図４】
2015069048.tif 000006
【図５】
2015069048.tif 000007
【図６】
2015069048.tif 000008
【図７】
2015069048.tif 000009
【図８】
2015069048.tif 000010
【図９】
2015069048.tif 000011
【図１０】
2015069048.tif 000012
【図１１】
2015069048.tif 000013
【図１２】
2015069048.tif 000014